(57)【要約】【課題】治具を要することなく、パネルサポートの位置決め作業を能率良く行うことができる乗客コンベアの欄干構造及び欄干設置方法の提供。【解決手段】本発明に係る欄干構造は、トラスフレーム２上に固定され、ブロック欄干３に含まれるパネルサポート３Ｅが載置されて固定されるインタフェースブラケット１８と、このインタフェースブラケット１８の高さ位置を調整するジャッキボルト４２と、インタフェースブラケット１８に移動可能に設けられ、パネルサポート３Ｅの側面３Ｊに当接して、パネルサポート３Ｅの水平方向Ｗ３の配設位置を規定する規定部１８Ａとを備えている。規定部１８Ａは、めねじを有する突出片３３と、この突出片３３の前記めねじに螺合し、パネルサポート３Ｅの側面３Ｊに当接するように配設される調整ボルト３１と、この調整ボルト３１を突出片３３に係止させるロックナット３２とを含んでいる。【選択図】図２
2014084201.tif 000002
【特許請求の範囲】
【請求項１】
トラスフレームの上方に、パネルを保持するパネルサポートを含む欄干部品を設置した乗客コンベアの欄干構造において、
前記トラスフレーム上に固定され、前記パネルサポートが載置されて固定されるインタフェースブラケットと、
前記インタフェースブラケットの高さ位置を調整するジャッキボルトと、
前記インタフェースブラケットに移動可能に設けられ、前記パネルサポートの側面に当接して、前記パネルサポートの水平方向の配設位置を規定する規定部とを備えたことを特徴とする乗客コンベアの欄干構造。
【請求項２】
請求項１に記載の乗客コンベアの欄干構造において、
前記ジャッキボルトは、前記インタフェースブラケットに取り付けられ、下端がトラスフレームの上弦材に当接するものから成り、
前記規定部は、前記パネルサポートの前記側面に対向するように配置されて前記インタフェースブラケットに取り付けられ、めねじを有する突出片と、前記突出片の前記めねじに螺合し、前記パネルサポートの前記側面に当接するように配設されて移動可能な調整ボルトと、前記調整ボルトを前記突出片に係止させるロックナットとを含むことを特徴とする乗客コンベアの欄干構造。
【請求項３】
請求項２に記載の乗客コンベアの欄干構造において、
前記インタフェースブラケットを前記トラスフレームに固定するボルトと、
前記インタフェースブラケット及び前記トラスフレームの少なくとも一方に、水平面内の前記トラスフレームの伸長方向と直交する方向に延設形成され、前記トラスフレームに固定するボルトが挿入される長穴とを備えたことを特徴とする乗客コンベアの欄干構造。
【請求項４】
トラスフレーム上に固定され、欄干部品に含まれるパネルを保持するパネルサポートが載置されて固定されるインタフェースブラケットと、前記インタフェースブラケットの高さ位置を調整するジャッキボルトと、前記インタフェースブラケットに移動可能に設けられ、前記パネルサポートの側面に当接して、前記パネルサポートの水平方向の位置を規定する規定部とを備えた乗客コンベアの欄干構造の設置に際して適用される乗客コンベアの欄干設置方法において、
前記ジャッキボルトを回転させて前記インタフェースブラケットの高さ位置及び水平度を確立する第１工程と、
前記パネルサポートの前記側面に当接する前記規定部の位置を確立する第２工程とを含み、
前記第１工程及び前記第２工程の実施後に、前記パネルサポートを、前記インタフェースブラケットに載置し、また当該パネルサポートの側面を前記規定部に当接させた状態で、インタフェースブラケットに固定することを特徴とする乗客コンベアの欄干設置方法。
【請求項５】
請求項４に記載の乗客コンベアの欄干設置方法において、
前記ジャッキボルトは、前記インタフェースブラケットに取り付けられ、下端がトラスフレームの上弦材に当接するものから成り、
前記規定部は、前記パネルサポートの前記側面に対向するように配置されて前記インタフェースブラケットに取り付けられ、めねじを有する突出片と、前記突出片の前記めねじに螺合し、前記パネルサポートの前記側面に当接するように配設されて移動可能な調整ボルトと、前記調整ボルトを前記突出片に係止させるロックナットとを含むことを特徴とする乗客コンベアの欄干設置方法。
【発明の詳細な説明】
【技術分野】
【０００１】
本発明は、トラスフレームの上方に欄干部品を設置した乗客コンベアの欄干構造及び欄干設置方法に関する。
【背景技術】
【０００２】
乗客コンベアは、無端状に連結されて移動する複数のステップと、これらのステップの左右両側に立設された欄干と、これらの欄干の上部に沿って設けられステップと同期して移動する移動手摺とを備えている。欄干をトラスフレームに設置する技術として、従来、特許文献１に開示されたものがある。この従来技術は、まず、欄干の主要部品であるパネルの下辺部を保持するパネルサポートを、欄干の重量及び利用客の重量を支える前述のトラスフレームの上弦材の上面に仮止めして設置する。この状態で、製作精度及びトラスフレームに対する組み込み精度が確保されているステップ上に、パネルサポート位置修正用治具を設置し、この治具を使用してパネルサポートの高さ方向の寸法精度と、水平度と、水平方向の寸法精度の３要素を確保するようにしている。
【先行技術文献】
【特許文献】
【０００３】
【特許文献１】特開平７−２７７６４９号公報
【発明の概要】
【発明が解決しようとする課題】
【０００４】
前述した従来技術は、パネルサポートの高さ方向の寸法精度と、水平度と、水平方向の寸法精度の３要素の精度確保作業を治具を用いて１工程内で行うようになっている。このため、この３要素の精度確保作業の実施に際して高い熟練度が要求されるとともに、多大の作業時間が必要になり、パネルサポートの位置決め作業の能率の向上を見込み難い。これに応じて従来技術にあっては、欄干設置作業の作業工数が増加しやすい問題があった。
【０００５】
本発明は、前述した従来技術における実情からなされたもので、その目的は、治具を要することなく、パネルサポートの位置決め作業を能率良く行うことができる乗客コンベアの欄干構造及び欄干設置方法を提供することにある。
【課題を解決するための手段】
【０００６】
前記目的を達成するために、本発明に係る乗客コンベアの欄干構造は、トラスフレームの上方に、パネルを保持するパネルサポートを含む欄干部品を設置した乗客コンベアの欄干構造において、前記トラスフレーム上に固定され、前記パネルサポートが載置されて固定されるインタフェースブラケットと、前記インタフェースブラケットの高さ位置を調整するジャッキボルトと、前記インタフェースブラケットに移動可能に設けられ、前記パネルサポートの側面に当接して、前記パネルサポートの水平方向の配設位置を規定する規定部とを備えたことを特徴としている。
【０００７】
また、前記目的を達成するために、本発明に係る乗客コンベアの欄干設置方法は、トラスフレーム上に固定され、欄干部品に含まれるパネルを保持するパネルサポートが載置されて固定されるインタフェースブラケットと、前記インタフェースブラケットの高さ位置を調整するジャッキボルトと、前記インタフェースブラケットに移動可能に設けられ、前記パネルサポートの側面に当接して、前記パネルサポートの水平方向の位置を規定する規定部とを備えた乗客コンベアの欄干構造の設置に際して適用される乗客コンベアの欄干設置方法において、前記ジャッキボルトを回転させて前記インタフェースブラケットの高さ位置及び水平度を確立する第１工程と、前記パネルサポートの前記側面に当接する前記規定部の位置を確立する第２工程とを含み、前記第１工程及び前記第２工程の実施後に、前記パネルサポートを、前記インタフェースブラケットに載置し、また当該パネルサポートの側面を前記規定部に当接させた状態で、インタフェースブラケットに固定することを特徴としている。
【発明の効果】
【０００８】
本発明に係る乗客コンベアの欄干構造及び欄干設置方法は、欄干部品であるパネルサポートの設置に際しては、ジャッキボルトを回転させて行うインタフェースブラケットの高さ位置及び水平度を確立する工程と、パネルサポートの側面に当接する規定部の位置を確立する工程とに、パネルサポートとインタフェースブラケットに関連する精度出し位置決め工程を２分割することができ、このようにして高精度に位置決めされたインタフェースブラケット上に、パネルサポートを当接させて載置、固定すればよい。すなわち本発明は、従来用いられていたような治具を要することがなく、前述のように精度出し位置決め工程を２分割することによって従来のような高い熟練度が要求されず、従来よりも短い作業時間でパネルサポートの位置決め作業を能率良く行うことができる。これにより本発明は、従来に比べて欄干設置作業の作業工数を少なく抑えることができる。
【図面の簡単な説明】
【０００９】
【図１】本発明に係る欄干構造の一実施形態が備えられる乗客コンベアを示す側面図である。
【図２】図１のＡ−Ａ断面拡大図である。
【図３】本実施形態に係る欄干装置に備えられるインタフェースブラケットの配設形態を示す側面図である。
【図４】図３のＢ方向から見た図である。
【図５】トラスフレームに複数の本実施形態に備えられるインタフェースブラケットを取り付けた状態を示す平面図である。
【発明を実施するための形態】
【００１０】
以下、本発明に係る乗客コンベアの欄干構造及び欄干設置方法の実施の形態を図面に基づいて説明する。
【００１１】
図１，２に示すように、本実施形態に係る乗客コンベアの欄干構造が備えられる乗客コンベア１は、トラスフレーム２上に取り付けられ、かつ無端状に連結されて移動する複数の踏段すなわちステップＳを備えている。このステップＳの左右に欄干、例えばブロック欄干３が設けられ、ブロック欄干３上にステップＳと同期して移動する移動手摺４が装着されている。
【００１２】
ブロック欄干３は、下部ターミナルブロック欄干７と、この下部ターミナルブロック欄干７に連設された複数の中間ブロック欄干８と、図示しない上部ターミナルブロック欄干とによって構成されている。
【００１３】
ブロック欄干３は、パネル３Ａと、このパネル３Ａ上に固定された図示しない移動手摺案内フレームと、パネル３Ａの下部をパネル縁３Ｃ及びパネル押板３Ｄとの間でボルト４Ａによって挟圧し、パネル３Ａを鉛直状態に立設させて固定するパネルサポート３Ｅと、このパネルサポート３Ｅに締結された外デッキ用ブラケット３Ｆと、この外デッキ用ブラケット３Ｆの上面に固定された外デッキ３Ｇと、外モール３Ｈとを含んでいる。前述したパネルサポート３Ｅは、例えば製品寸法精度が高い押出し成形部材から成っている。ブロック欄干３は、予め乗客コンベア１を製作する工場等で組み立てられ、重量物を構成しており、乗客コンベア１の利用客の高所からの転落の防止等、利用客の安全確保に貢献している。また、このブロック欄干３は、移動手摺４の確実な摺動を実現させている。
【００１４】
ブロック欄干３の組み込み精度を確保するためには、重量物を支えるトラスフレーム２の上弦材２Ａにブロック欄干３を直接に乗せることは、トラスフレーム２の製作寸法精度上で問題がある。このために、本実施形態にあっては、ブロック欄干３とトラスフレーム２との間にインタフェースブラケット１８を配置してあり、このインタフェースブラケット１８によってブロック欄干３とトラスフレーム２とを連結させてある。インタフェースブラケット１８とブロック欄干３のパネルサポート３Ｅとは、ボルト４３によって固定してある。トラスフレーム２の上弦材２Ａとインタフェースブラケット１８とは、ボルト４１によって固定してある。
【００１５】
本実施形態に係る乗客コンベアの欄干構造は、前述したトラスフレーム２上に固定され、パネルサポート３Ｅが載置されて固定されるインタフェースブラケット１８の他に、インタフェースブラケット１８の高さ位置、すなわち基準位置からの図３に示す高さ寸法Ｈ１及び水平度Ｚを調整するジャッキボルト４２を備えている。また本実施形態は、図２に示すようにインタフェースブラケット１８に移動可能に設けられ、パネルサポート３Ｅに当接して、パネルサポート３Ｅの基準位置からの図３に示す水平方向Ｗの配設位置を規定する規定部を備えている。
【００１６】
ジャッキボルト４２は、例えば頭部が上方に位置するようにインタフェースブラケット１８に取り付けられ、下端がトラスフレーム２の上弦材２Ａに当接するものからなっている。インタフェースブラケット１８は、ボルト４１及びジャッキボルト４２によりトラスフレーム２の上弦材２Ａに固定される底部１８Ｂと、この底部１８Ｂの両端のそれぞれから底部１８Ｂに対して鉛直方向に伸長する一対の側面部１８Ｄと、これらの側面部１８Ｄの上端部から底部１８Ｂと平行に外側に向って伸びる一対の頂部１８Ｃとから成る逆ハット形状に形成してある。パネルサポート３Ｅは、インタフェースブラケット１８の頂部１８Ｃに形成された図３，４に示す貫通穴１８Ｅに挿入される前述のボルト４３によって、インタフェースブラケット１８に固定されている。
【００１７】
パネルサポート３Ｅの水平方向Ｗの配設位置を規定する前述の規定部は、例えば図２に示すパネルサポート３Ｅの側面３Ｊに対向するように配置されて、インタフェースブラケット１８の側面部１８Ｄのそれぞれに取り付けられ、めねじ部を有する横断面が図５に示すようにＬ字形の突出片３３と、これらの突出片３３のめねじ部にそれぞれ螺合し、例えば頭部３１Ａがパネルサポート３Ｅの側面３Ｊに当接するように配設される調整ボルト３１と、これらの調整ボルト３１を該当する突出片３３に係止させるロックナット３２とを含んでいる。
【００１８】
なお、図５に示すように、インタフェースブラケット１８及びトラスフレーム２の少なくとも一方に、例えばインタフェースブラケット１８の底部１８Ｂに、水平面内のトラスフレーム１８の伸長方向と直交する方向に延設形成され、インタフェースブラケット１８をトラスフレーム２に固定するボルト４１が挿入される長穴３０を設けてある。この長穴３０を介してイタンフエースブラケット１８は、水平面内のトラスフレーム１８の伸長方向に直交する方向の移動が可能となっている。
【００１９】
このように構成した本実施形態に係る欄干構造に適用される乗客コンベアの欄干設置方法の一実施形態について以下に説明する。
【００２０】
本実施形態に係る欄干設置方法は、ジャッキボルト４２を回転させてインタフェースブラケット１８の高さ位置すなわち高さ寸法Ｈ１、及び水平度Ｚを確立する第１工程と、パネルサポート３Ｅの側面３Ｊに当接する前述の調整ボルト３１を含む規定部１８Ａの位置を確立する第２工程とを含み、第１工程及び第２工程の実施後に、パネルサポート３Ｅを、インタフェースブラケット１８に載置し、その側面３Ｊを規定部１８Ａの調整ボルト３１の頭部３１Ａに当接させた状態で、インタフェースブラケット１８に固定するようにしたものである。
【００２１】
すなわち、本実施形態に係る欄干設置方法は、第１工程として、まず、図３，４に示すように、インタフェースブラケット１８の底部１８Ｂに組み込まれたジャッキボルト４２の締め付け、あるいは緩めにより、インタフェースブラケット１８を上下方向へ移動させ、インタフェースブラケット１８の頂部１８Ｃの高さ寸法Ｈ１が所定の精度を確保するように、かつ、インタフェースブラケット１８の頂部１８Ｃの水平度Ｚが所定の精度となるように調整する作業を行う。なお、これにより図４に示すように１つのインタフェースブラケット１８に備えられる２つの調整ボルト３１の水平度Ｚ１も確保される。これらの調整作業の完了後、締結ボルト４１で例えば複数枚の調整シムを挟むようにしてトラスフレーム２にインタフェースブラケット１８を締結する。
【００２２】
また本実施形態に係る欄干設置方法は、第２工程として、規定部１８Ａの調整ボルト３１を回すことにより、この調整ボルト３１の頭部３１Ａを水平面内のトラスフレーム２の伸長方向と直交する方向に移動させ、頭部３１Ａの端面が基準位置から図３に示す水平寸法Ｗ３と一致させるようにし、一致させた状態で調整ボルト３１に螺合するロックナット３２を回してロックナット３２を突出片３３に係止させ、調整ボルト３１を突出片３３に固定することを行う。この際に、例えば図５に示す長穴３０に挿入され、インタフェースブラケット１８をトラスフレーム２の上弦材２Ａに固定していたボルト４１を緩め、トラスフレーム２に対してインタフェースブラケット１８を、トラスフレーム２の伸長方向と直交する方向に移動させる動作を併せて行ってもよい。
【００２３】
第１工程及び第２工程の後に、ブロック欄干３の組み込み工程が行われる。この組み込み工程は、前述のようにして高さ寸法Ｈ１の精度と水平度Ｚの精度を確保したインタフェースブラケット１８の頂部１８Ｃに、図２に示すように、ブロック欄干３に含まれるパネルサポート３Ｅの下面３Ｉを載置し、水平方向Ｗ３の寸法精度を確保した調整ボルト３１の頭部３１Ａにパネルサポート３Ｅの側面３Ｊが当接する状態とする。この状態において、締結ボルト４３をパネルサポート３Ｅに形成した穴と、インタフェースブラケット１８の頂部１８Ｃに形成した貫通穴１８Ｅに挿入し、締結ボルト４３に螺合するナットを締め付けて、ブロック欄干３に含まれるパネルサポート３Ｅをインタフェースブラケット１８の頂部１８Ｃに固定する。これによりパネル３Ａ、パネルサポート３Ｅ、外デッキ３Ｇ等を含むブロック欄干３の組み込みが完了する。
【００２４】
本実施形態に係る乗客コンベアの欄干構造及び欄干設置方法によれば、前述したように欄干部品であるパネルサポート３Ｅの設置に際しては、ジャッキボルト４２を回転させて行うインタフェースブラケット１８の高さ位置（高さ寸法Ｈ１）及び水平度Ｚを確立する工程と、パネルサポート３Ｅの側面３Ｊに当接する規定部１８Ａの位置を確立する工程とに、パネルサポート３Ｅとインタフェースブラケット１８に関連する精度出し位置決め工程を２分割することができる。このようにして高精度に位置決めされたインタフェースブラケット１８上に、パネルサポート３Ｅを当接させて載置、固定すればよい。すなわち本実施形態は、パネルサポート３Ｅの組み込みに治具を要することがなく、前述のように精度出し位置決め工程を２分割することによって、高い熟練度が要求されず、比較的短い作業時間でパネルサポート３Ｅの位置決め作業を能率良く行うことができる。これにより本実施形態は、欄干設置作業の作業工数を少なく抑えることができる。
【００２５】
また、本実施形態は、パネルサポート３Ｅが製品寸法精度が高い押出し成形部材から成ることから、ブロック欄干３の高い組み込み精度の確保に貢献する。
【００２６】
なお、前述した実施形態では、インタフェースブラケット１８の上に、予め工場等で組み立てたブロック欄干３を設けるようにしたが、このようなブロック欄干３を設けずに、インタフェースブラケット３０の上に、パネルサポート３Ｅを含む単品の欄干部品を順次組み込むようにしてもよい。
【００２７】
また、前述した実施形態では、トラスフレーム２に対してインタフェースブラケット１８を、水平面内におけるトラスフレーム２の伸長方向と直交する方向に移動可能にする手段として、インタフェースブラケット１８の底部１８Ｂに長穴３０を形成したが、これとは異なって、インタフェースブラケット１８の底部１８Ｂにはボルト４１が挿入される丸穴を形成し、トラスフレーム２の上弦材２Ａに長穴３０を形成してもよく、また、インタフェースブラケット１８の底部１８Ｂとトラスフレーム２の上弦材２Ａの双方に長穴３０を形成してもよい。
【００２８】
また、前述した実施形態では、規定部１８Ａを構成する調整ボルト３１を、その頭部３１Ａがパネルサポート３Ｅの側面３Ｊに当接するように配設したが、頭部３１Ａとは反対側に位置する軸部の端部がパネルサポート３Ｅの側面３Ｊに当接するように、調整ボルト３１を配設してもよい。
【符号の説明】
【００２９】
１    乗客コンベア
２    トラスフレーム
２Ａ  上弦材
３    ブロック欄干
３Ａ  パネル
３Ｅ  パネルサポート
３Ｆ  外デッキ用ブラケット
３Ｇ  外デッキ
３Ｉ  下面
３Ｊ  側面
４    移動手摺
４Ａ  ボルト
１８    インタフェースブラケット
１８Ａ  規定部
１８Ｂ  底部
１８Ｃ  頂部
１８Ｄ  側面部
１８Ｅ  貫通穴
３０    長穴
３１    調整ボルト
３１Ａ  頭部
３２    ロックナット
３３    突出片
４１    ボルト
４２    ジャッキボルト
４３    ボルト
Ｈ１    高さ寸法
Ｗ３    水平寸法
Ｚ      水平度
【図１】
2014084201.tif 000003
【図３】
2014084201.tif 000004
【図４】
2014084201.tif 000005
【図５】
2014084201.tif 000006
【図２】
2014084201.tif 000007